(57)【要約】      （修正有）【課題】災害発生時にエレベータの乗客がより迅速に且つ正確に避難することができるようにする。【解決手段】災害発生時、エレベータのかご１が停止する階床を決定した後、かご１内の乗客に情報を提供するかご内情報表示器２に、かご１が停止する階床の避難情報を表示する。また、災害発生時におけるかご１の停止階床を決定した後、かご内情報表示器２の固定を解除して、かご内情報表示器２をかご１から取り外し可能な状態にしたり、かご１が停止する階床の避難情報が印刷された避難情報印刷物をかご１内に排紙したりすることにより、かご１が停止する階床の避難情報をかご１内の乗客に対してかご１の外部に携帯可能な状態で提供する。【選択図】図１
2008024383.tif 000002
【特許請求の範囲】
【請求項１】
エレベータのかご内の乗客に情報を提供するかご内情報表示器と、
災害発生時に実施されるエレベータの災害時運転において、前記かごが停止する階床を決定する災害時運転演算部と、
前記災害時運転演算部によって決定された停止階床情報に基づいて、前記かごが停止する階床の避難情報を前記かご内情報表示器に表示させる表示制御装置と、
前記災害時運転演算部によって決定された前記停止階床情報に基づいて、前記かごが停止する階床の避難情報を、前記かご内の乗客に対して前記かごの外部に携帯可能な状態で提供する避難情報提供手段と、
を備えたことを特徴とするエレベータの制御装置。
【請求項２】
避難情報提供手段は、
常時はかご内情報表示器をかごの所定位置に固定するとともに、要時に前記かご内情報表示器の固定を解除して、前記かご内情報表示器を前記かごから取り外し可能な状態にするロック装置と、
災害時運転演算部によって決定された停止階床情報に基づいて、前記ロック装置に解除指令を出力し、前記かご内情報表示器の固定を解除させる解除制御手段と、
を備えたことを特徴とする請求項１に記載のエレベータの制御装置。
【請求項３】
避難情報提供手段は、
かごに設けられ、避難情報が印刷された各階床毎の避難情報印刷物を有するとともに、要時に前記かご内に前記避難情報印刷物を排紙する出力装置と、
災害時運転演算部によって決定された停止階床情報に基づいて、前記出力装置に排紙要求を出力し、前記かごが停止する階床の前記避難情報印刷物を排紙させる排紙制御手段と、
を備えたことを特徴とする請求項１に記載のエレベータの制御装置。
【請求項４】
避難情報提供手段は、
災害時運転演算部によって決定された停止階床情報に基づいて、かご内の乗客が所有する通信機器によって外部のサーバにアクセスすることにより前記通信機器に前記かごが停止する階床の避難情報を表示させる通信情報を、かご内情報表示器に表示させる通信情報表示制御手段と、
を備えたことを特徴とする請求項１に記載のエレベータの制御装置。
【請求項５】
災害発生時、エレベータのかごが停止する階床を決定するステップと、
災害発生時における前記かごの停止階床を決定した後、前記かご内の乗客に情報を提供するかご内情報表示器に、前記かごが停止する階床の避難情報を表示するステップと、
災害発生時における前記かごの停止階床を決定した後、前記かごが停止する階床の避難情報を、前記かご内の乗客に対して前記かごの外部に携帯可能な状態で提供するステップと、
を備えたことを特徴とするエレベータの制御方法。
【請求項６】
災害発生時におけるかごの停止階床を決定した後、かご内情報表示器の固定を解除して、前記かご内情報表示器を前記かごから取り外し可能な状態にすることにより、前記かごが停止する階床の避難情報を、前記かご内の乗客に対して前記かごの外部に携帯可能な状態で提供することを特徴とする請求項５に記載のエレベータの制御方法。
【請求項７】
災害発生時におけるかごの停止階床を決定した後、前記かごが停止する階床の避難情報が印刷された避難情報印刷物を前記かご内に排紙することにより、前記かごが停止する階床の避難情報を、前記かご内の乗客に対して前記かごの外部に携帯可能な状態で提供することを特徴とする請求項５に記載のエレベータの制御方法。
【請求項８】
災害発生時におけるかごの停止階床を決定した後、前記かご内の乗客が所有する通信機器によって外部のサーバにアクセスすることにより前記通信機器に前記かごが停止する階床の避難情報を表示させる通信情報を、かご内情報表示器に表示させることにより、前記かごが停止する階床の避難情報を、前記かご内の乗客に対して前記かごの外部に携帯可能な状態で提供することを特徴とする請求項５に記載のエレベータの制御方法。
【発明の詳細な説明】
【技術分野】
【０００１】
この発明は、災害発生時、かご内の乗客を迅速に避難させることができるエレベータの制御装置及び制御方法に関するものである。
【背景技術】
【０００２】
地震や火災等の災害が発生した場合に実施されるエレベータの災害時運転（管制運転）では、災害の発生が検知されると、かごを最寄り階や所定の避難階に停止させた後、ドアを開いてかご内の乗客を救出する。
【０００３】
このような災害時運転を実施するエレベータの従来技術として、エレベータが設置された建築物で火災や煙が発生した場合に、火災や煙の発生場所や防火区画を避けるように避難運転方法が作成されるとともに、作成された避難運転方法に基づいて運行制御されるものが提案されている。そして、上記構成を有するエレベータでは、かご内表示器や乗場表示器、かご音声出力器、乗場音声出力器、管理室ディスプレイ等に上記避難運転方法に応じた情報を出力して、災害時の避難効率の向上を図っている（例えば、特許文献１参照）。
【０００４】
【特許文献１】特開２００５−１０４６３０号公報
【発明の開示】
【発明が解決しようとする課題】
【０００５】
特許文献１記載のものでは、避難運転方法を作成するために膨大な量の情報が必要となり、事前の登録作業に多大な時間及び手間を要するといった問題があった。また、かご内表示器に避難運転方法に応じた情報を出力して避難効率の向上を図っているが、かご内の乗客は、最寄り階等に停止するまでの僅かな時間しかかご内表示器を見ることができず、かご内表示器等に表示された情報を瞬時に記憶し、その記憶を辿って迅速に避難することは困難であった。
【０００６】
この発明は、上述のような課題を解決するためになされたもので、その目的は、災害発生時にエレベータの乗客がより迅速に且つ正確に避難することができるエレベータの制御装置及び制御方法を提供することである。
【課題を解決するための手段】
【０００７】
この発明に係るエレベータの制御装置は、エレベータのかご内の乗客に情報を提供するかご内情報表示器と、災害発生時に実施されるエレベータの災害時運転において、かごが停止する階床を決定する災害時運転演算部と、災害時運転演算部によって決定された停止階床情報に基づいて、かごが停止する階床の避難情報をかご内情報表示器に表示させる表示制御装置と、災害時運転演算部によって決定された停止階床情報に基づいて、かごが停止する階床の避難情報を、かご内の乗客に対してかごの外部に携帯可能な状態で提供する避難情報提供手段と、を備えたものである。
【０００８】
また、この発明に係るエレベータの制御方法は、災害発生時、エレベータのかごが停止する階床を決定するステップと、災害発生時におけるかごの停止階床を決定した後、かご内の乗客に情報を提供するかご内情報表示器に、かごが停止する階床の避難情報を表示するステップと、災害発生時におけるかごの停止階床を決定した後、かごが停止する階床の避難情報を、かご内の乗客に対してかごの外部に携帯可能な状態で提供するステップと、を備えたものである。
【発明の効果】
【０００９】
この発明によれば、災害発生時、エレベータの乗客は、より迅速に且つ正確に避難することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるエレベータの制御装置を示すブロック構成図である。図１において、１はエレベータ昇降路内を昇降するかご、２はかご１内に設けられ、かご１内の乗客に対して各種情報を文字や画像により提供するかご内情報表示器、３はかご１上部等に設けられ、かご内情報表示器２の表示内容を制御する表示制御装置、４はエレベータ昇降路内や機械室等に設けられ、表示制御装置３の制御を含め、エレベータに関する各種制御を司る制御盤、５はエレベータが備えられた建築物の各所に設けられ、地震や火災、煙の発生といった災害を感知し、災害を感知することにより災害発生信号を出力する各種災害感知器である。
【００１２】
６はかご内情報表示器２をかご１に設置するためのロック装置である。このロック装置６は、常時はかご内情報表示器２をかご１内の乗客から見易い所定位置に固定するとともに、要時にかご内情報表示器２の固定を解除して、かご内情報表示器２をかご１内から取り外し可能な状態とする機能を有している。
【００１３】
また、制御盤４には、災害感知器５から災害発生信号が入力された際に、入力された災害発生信号に基づいて災害情報を送信する災害情報入力装置７と、災害情報入力装置７から送信された災害情報を受信することにより、受信した災害情報に基づいて、発生した災害に対応する災害時運転を決定及び実施する災害時運転演算部８とが備えられている。なお、上記災害時運転演算部８は、災害時運転の決定に際し、災害時運転においてかご１を停止させて乗客を救出する階床を決定し、その決定内容を停止階床情報として表示制御装置３に対して出力する。この災害時運転演算部８は、例えば、各種運行制御を司る制御基盤９の一部により構成される。
【００１４】
また、上記表示制御装置３は、エレベータのかご１内の乗客が災害発生時に各エレベータ乗場から安全に避難するための避難情報を有しており、例えば、避難経路画像データベース３ａと、避難チェック箇所データベース３ｂとが備えられている。ここで、避難経路画像データベース３ａには、エレベータ乗場からの避難経路が各階床毎に画像情報として記憶されている。例えば、エレベータが設置されている建築物が１０階建てである場合、避難経路画像データベース３ａには、１階の乗場からの避難経路を示す画像情報と、２階の乗場からの避難経路を示す画像情報と、というように１０階の乗場からの避難経路を示す画像情報までが記憶されている。また、避難チェック箇所データベース３ｂには、避難している経路が正しいか否かを確認するためのチェック箇所が各階床毎に確認情報として記憶されている。なお、上記確認情報は、災害発生時にかご１から降りて避難している人が、自分の避難している経路が正しいか否かを確認するためのものであり、例えば、避難経路沿いにある目標物や標識等の複数の情報で構成される。
【００１５】
そして、表示制御装置３は、災害時運転演算部８から停止階床情報を受信することにより、災害時運転演算部８によって決定された停止階床情報に基づいて、かご１が停止する階床の避難情報をかご内情報表示器２に表示させるように動作する。具体的には、表示制御装置３は、受信した停止階床情報に基づいて、かご１が停止する階床の画像情報と確認情報とを避難経路画像データベース３ａ及び避難チェック箇所データベース３ｂから選択し、選択した画像情報と確認情報とをかご内情報表示器２に対して送信する。そして、かご内情報表示器２にかご１が停止する階床の避難経路図２ａと避難時チェック箇所２ｂとを表示させて、それぞれの内容をかご１内の乗客に報知する。
【００１６】
また、表示制御装置３は、災害時運転演算部８によって決定された停止階床情報に基づいて、ロック装置６に対してかご内情報表示器２の固定を解除させるための解除指令を出力し、かご内情報表示器２の固定を解除させる。そして、かご内情報表示器２を、かご１が停止する階床の避難情報が表示された状態で、かご１内から取り外し可能、即ち、外部に携帯可能な状態とする。
【００１７】
なお、実施の形態１においては、表示制御手段３の一部の機能により、特許請求の範囲における解除制御手段を構成する。また、表示制御手段３の上記一部の機能とロック装置６とにより、特許請求の範囲における避難情報提供手段を構成する。
【００１８】
次に、図２に基づいて、上記構成を有するエレベータの制御装置の動作を説明する。図２はこの発明の実施の形態１におけるエレベータの制御装置の動作を示すフローチャートである。エレベータの通常運転時に災害が発生すると（ステップＳ１０１）、その災害が災害感知器５によって感知され、災害感知器５からエレベータ制御盤４内の災害情報入力装置７に対して災害発生信号が出力される（ステップＳ１０２）。例えば、エレベータの通常運転時に所定震度以上の地震が発生すると、地震感知器からなる災害感知器５によって地震の揺れが感知され、災害感知器５（地震感知器）から災害情報入力装置７に対して地震発生信号が出力される。
【００１９】
災害情報入力装置７では、災害発生信号が入力されることにより、災害情報（例えば、地震発生）を受信する（ステップＳ１０３）。即ち、エレベータ制御盤４により災害が検知される。災害情報入力装置７は、受信した災害情報を災害時運転演算部８に転送する（ステップＳ１０４）。災害情報が転送された災害時運転演算部８では、受信した災害情報に基づいて、発生した災害に対応する災害時運転（管制運転）を決定し、その決定に基づいて、各種機器類を制御して災害時運転を実施する（ステップＳ１０５）。例えば、所定震度以上の地震が発生した旨の災害情報が入力された場合には、かご１を最寄り階に停止させた後、戸開動作を行って乗客を救出する地震時管制運転を決定及び実施する。なお、災害時運転演算部８では、受信した災害情報に基づいて災害時運転を決定するに際し、災害時運転においてかご１を停止させて乗客を救出する階床を決定する（ステップＳ１０５）。そして、災害時運転演算部８は、災害時運転の実施とともに、決定した停止階床情報を表示制御装置３に対して伝送する（ステップＳ１０６）。
【００２０】
表示制御装置３では、災害時運転演算部８から停止階床情報を受信することにより、受信した停止階床情報に基づいて、かご１が停止する階床の避難情報をかご内情報表示器２に表示させる。具体的には、表示制御手段３は、受信した停止階床情報と一致する階床の画像情報を避難経路画像データベース３ａ内から選択するとともに、同じ階床の確認情報を避難チェック箇所データベース３ｂ内から選択する（ステップＳ１０７）。そして、選択した画像情報と確認情報とをかご内情報表示器２に対して出力して（ステップＳ１０８）、かご１が停止する階床の避難経路図２ａと避難時チェック箇所２ｂとをかご内情報表示器２に表示させ（ステップＳ１０９）、それぞれの内容をかご１内の乗客に対して報知する。
【００２１】
また、表示制御装置３は、災害時運転演算部８から停止階床情報を受信することにより、ロック装置６に対してかご内情報表示器２の固定を解除させるための解除指令を出力する（ステップＳ１１０）。ロック装置６は、表示制御装置３から解除指令が入力されることにより、かご内情報表示器２の固定を解除し、かご内情報表示器２を、かご１が停止する階床の避難情報が表示された状態で、かご１内から取り外し可能な状態とする（ステップＳ１１１）。なお、かご内情報表示器２の固定を解除するに際し、かご内情報表示器２に、かご内情報表示器２が取り外し可能な状態であり、避難時にかご内情報表示器２を持参しても良い旨を表示することも有効である。そして、かご１が所定の階床に停止して戸開動作が行われると、かご１内の乗客はかご内情報表示器２を取り外して携帯しながら避難を実施する（ステップＳ１１２）。
【００２２】
この発明の実施の形態１によれば、災害発生時にかご１内にいる乗客は、かご１が所定の階床の乗場に停止するまでは、かご内情報表示器２に表示された避難情報を見ることによって、自分の避難経路等を確認することができる。また、かご１からかご内情報表示器２を取り外して携帯することにより、かご１が乗場に停止してかご１から降りた後でも、かご内情報表示器２に表示された避難情報を見ながら避難することができる。このため、災害時における乗客の避難がより迅速に且つ正確に行われ、二次災害等を防止することが可能となる。
【００２３】
また、かご内情報表示器２に表示させる避難情報は予め表示制御装置３に記憶されたものであるため、避難情報を作成するための複雑な演算やその演算のための情報登録等が不要となり、構成を簡素化することができる。
【００２４】
実施の形態２．
図３はこの発明の実施の形態２におけるエレベータの制御装置を示すブロック構成図である。図３において、１０はかご１に設けられた避難情報印刷物出力装置である。この避難情報印刷物出力装置１０は、その内部に、避難経路図や避難時チェック箇所等といった避難情報が印刷された各階床毎の避難情報印刷物１０ａを有しており、要時にかご１内に所定の階床の避難情報印刷物１０ａを排紙するように構成されている。また、表示制御装置３は、災害時運転演算部８から停止階床情報を受信することにより、災害時運転演算部８によって決定された停止階床情報に基づいて、避難情報印刷物出力装置１０に対して排紙要求を出力し、かご１が停止する階床の避難情報印刷物１０ａをかご１内に排紙させるように動作する。
【００２５】
なお、実施の形態２においては、表示制御手段３の一部の機能により、特許請求の範囲における排紙制御手段を構成する。また、表示制御手段３の上記一部の機能と避難情報印刷物出力装置１０とにより、特許請求の範囲における避難情報提供手段を構成する。その他は、実施の形態１と同様の構成を有する。
【００２６】
次に、図４に基づいて、上記構成を有するエレベータの制御装置の動作を説明する。図４はこの発明の実施の形態２におけるエレベータの制御装置の動作を示すフローチャートである。なお、図４におけるステップＳ２０１乃至Ｓ２０９の動作は、図２におけるステップＳ１０１乃至Ｓ１０９の動作と同様であり、その説明は省略する。
【００２７】
表示制御装置３は、災害時運転演算部８から停止階床情報を受信することにより、ステップＳ２０９においてかご１が停止する階床の避難経路図２ａと避難時チェック箇所２ｂとをかご内情報表示器２に表示させるとともに、かご１が停止する階床の避難情報印刷物１０ａを排紙させるための排紙要求を、避難情報印刷物出力装置１０に対して出力する（ステップＳ２１０）。避難情報印刷物出力装置１０は、表示制御装置３から排紙要求が入力されることにより、排紙要求に含まれる停止階床情報に基づいて、かご１が停止する階床の避難情報印刷物１０ａをかご１内に排紙する（ステップＳ２１１）。そして、かご１が所定の階床に停止して戸開動作が行われると、かご１内の乗客は、かご１内に排紙された避難情報印刷物１０ａを携帯しながら避難を実施する（ステップＳ２１２）。
【００２８】
この発明の実施の形態２によれば、災害発生時にかご１内にいる乗客は、かご１が所定の乗場に停止してかご１から降りた後でも、かご１内に排紙された避難情報印刷物１０ａを見ながら避難することができる。このため、災害時における乗客の避難がより迅速に且つ正確に行われ、二次災害等を防止することが可能となる。また、乗客が避難する際に携帯するものは紙１枚であるため、軽量で動きやすく、避難後の処分も容易にできる。その他は、実施の形態１と同様の効果を奏する。
【００２９】
実施の形態３．
図５はこの発明の実施の形態３におけるエレベータの制御装置を示すブロック構成図である。図５において、１１はエレベータが設置された建築物又は他の建築物に備えられた避難情報送信サーバである。この避難情報送信サーバ１１には、エレベータが設置された建築物の各階床毎の避難情報を有する避難情報データベース１１ａが備えられている。１２はかご１内の乗客が所有する携帯電話であり、インターネット回線等を介して避難情報送信サーバ１１にアクセス可能な機能を有している。なお、上記携帯電話１２は、後述する通信機器の一例を示したものである。
【００３０】
また、表示制御装置３は、エレベータのかご１内の乗客が災害発生時に各エレベータ乗場から安全に避難するための避難情報と、かご１内の乗客が所有する通信機器に避難情報を表示させる通信情報とを有しており、例えば、避難経路画像データベース３ａ、避難チェック箇所データベース３ｂ、２次元バーコードデータベース３ｃが備えられている。ここで、２次元バーコードデータベース３ｃには、避難情報送信サーバ１１にアクセスするためのＵＲＬ等の所定の情報が登録された２次元バーコード情報（通信情報）が記憶されている。
【００３１】
そして、表示制御装置３は、災害時運転演算部８から停止階床情報を受信することにより、災害時運転演算部８によって決定された停止階床情報に基づいて、かご１が停止する階床の避難情報を乗客の携帯電話１２に表示させるための２次元バーコード２ｃをかご内情報表示器２に表示させるように動作する。具体的には、表示制御装置３は、受信した停止階床情報に基づいて、かご１が停止する階床に対応した２次元バーコード情報を２次元バーコードデータベース３ｃから選択し、選択した２次元バーコード情報をかご内情報表示器２に対して送信する。そして、かご内情報表示器２にかご１が停止する階床に対応した２次元バーコード２ｃを表示させ、かご１内の乗客に、携帯電話１２を使用して上記２次元バーコード２ｃを読み取らせる。なお、かご１内の乗客は、上記２次元バーコード２ｃを読み取った携帯電話１２により、２次元バーコード２ｃに登録されている情報に基づいて避難情報送信サーバ１１にアクセスし、かご１が停止する階床の避難情報を避難情報データベース１１ａからダウンロードする。
【００３２】
なお、実施の形態３においては、表示制御装置３の一部の機能により、特許請求の範囲における通信情報表示制御手段及び避難情報提供手段を構成する。その他は、実施の形態１と同様の構成を有する。
【００３３】
次に、図６に基づいて、上記構成を有するエレベータの制御装置の動作を説明する。図６はこの発明の実施の形態３におけるエレベータの制御装置の動作を示すフローチャートである。なお、図６におけるステップＳ３０１乃至Ｓ３０６の動作は、図２におけるステップＳ１０１乃至Ｓ１０６の動作と同様であり、その説明は省略する。
【００３４】
表示制御装置３は、災害時運転演算部８から停止階床情報を受信することにより、受信した停止階床情報に基づいて、かご１が停止する階床の避難情報とともに、かご１内の乗客が所有する通信機器によって外部のサーバにアクセスすることにより上記通信装置にかご１が停止する階床の避難情報を表示させる通信情報を、かご内情報表示器２に表示させる。具体的には、表示制御手段３は、受信した停止階床情報と一致する階床の画像情報及び確認情報を選択するとともに、受信した停止階床情報に対応する２次元バーコード情報を２次元バーコードデータベース３ｃから選択し（ステップＳ３０７）、選択した各データをかご内情報表示器２に対して出力して表示させる（ステップＳ３０８、Ｓ３０９）。
【００３５】
かご１内の乗客は、かご内情報表示器２に表示された２次元バーコード２ｃを自分の所有する携帯電話１２によって読み取り、２次元バーコード２ｃに登録されているＵＲＬを使用して避難情報送信サーバ１１にアクセスする（ステップＳ３１０）。なお、携帯電話１２で読み取った２次元バーコード２ｃには、エレベータが設置されている建築物やかご１が停止する階床等の情報が予め登録されており、避難情報送信サーバ１１にアクセスすることにより自動的に最適な避難情報が選択される（ステップＳ３１１）。乗客は、選択された避難情報を取得（ダウンロード）する（ステップＳ３１２）。そして、かご１が所定の階床に停止して戸開動作が行われると、かご１内の乗客は、自分の携帯電話１２に表示された避難経路図１２ａや避難時チェック箇所１２ｂを確認しながら避難を実施する（ステップＳ３１３）。
【００３６】
この発明の実施の形態３によれば、災害発生時にかご１内にいる乗客は、かご１が所定の乗場に停止してかご１から降りた後でも、自分の携帯電話１２にダウンロードした避難情報を見ながら避難することができる。このため、災害時における乗客の避難がより迅速に且つ正確に行われ、二次災害等を防止することが可能となる。また、かご１が停止する階床の避難情報を乗客の所有する携帯電話１２等にダウンロードさせて提供するため、かご１に大掛かりな装置が不要となり、構成を簡素化させることが可能である。その他は、実施の形態１と同様の効果を奏する。
【図面の簡単な説明】
【００３７】
【図１】この発明の実施の形態１におけるエレベータの制御装置を示すブロック構成図である。
【図２】この発明の実施の形態１におけるエレベータの制御装置の動作を示すフローチャートである。
【図３】この発明の実施の形態２におけるエレベータの制御装置を示すブロック構成図である。
【図４】この発明の実施の形態２におけるエレベータの制御装置の動作を示すフローチャートである。
【図５】この発明の実施の形態３におけるエレベータの制御装置を示すブロック構成図である。
【図６】この発明の実施の形態３におけるエレベータの制御装置の動作を示すフローチャートである。
【符号の説明】
【００３８】
１  かご、  ２  かご内情報表示器、  ２ａ  １２ａ  避難経路図、
２ｂ  １２ｂ  避難時チェック箇所、  ２ｃ  ２次元バーコード、
３  表示制御装置、  ３ａ  避難経路画像データベース、
３ｂ  避難チェック箇所データベース、  ３ｃ  ２次元バーコードデータベース、
４  制御盤、  ５  災害感知器、  ６  ロック装置、  ７  災害情報入力装置、
８  災害時運転演算部、  ９  制御基盤、  １０  避難情報印刷物出力装置、
１０ａ  避難情報印刷物、  １１  避難情報送信サーバ、
１１ａ  避難情報データベース、  １２  携帯電話
【図１】
2008024383.tif 000003
【図２】
2008024383.tif 000004
【図３】
2008024383.tif 000005
【図４】
2008024383.tif 000006
【図５】
2008024383.tif 000007
【図６】
2008024383.tif 000008